(57)【要約】【課題】紫外線を用いて室内の飛翔昆虫を誘引・除去する換気装置において、運転中にカバーを取り外してしまった場合に、ヒトの目にとって有害な波長の光を発することのない換気装置を提供することを目的とする。【解決手段】室内側に設けられた吸込口３と、室外側に設けられた吐出口４と、吸込口３から吐出口４を通貫する風路５と、風路５内に室内側から室外側へ向かう気流を発生させるファン７およびモーター６とを備えた本体２と、本体２前面を覆うように設置された取り外し可能なパネル８と、紫外線含む光を発する光源９を備えた換気装置であって、前記光源がルーバー外縁部の内側に取り付けられており、光源９はパネル８の取り付け部を介して本体２側から電力供給を受けることを特徴とした換気装置としたことで、運転中にカバーを取り外してしまった場合に、ヒトの目にとって有害な波長の光を発することをなくすことができる。【選択図】図１
2020003157.tif 000002
【特許請求の範囲】
【請求項１】
室内側に設けられた吸込口と、室外側に設けられた吐出口と、吸込口から吐出口を通貫する風路と、風路内に室内側から室外側へ向かう気流を発生させるファンおよびモーターとを備えた本体と、前記本体の前面を覆うように設置された取り外し可能なパネルと、紫外線含む光を発する光源とを備えた換気装置であって、前記光源がパネルの外縁部の内側に取り付けられており、前記光源は前記パネルの取り付け部を介して前記本体側から電力供給を受けることを特徴とした換気装置。
【請求項２】
前記光源から発する光は波長が２００ｎｍ〜４００ｎｍの紫外線を含むことを特徴とした請求項１の換気装置。
【請求項３】
前記パネルの羽板が黒色であることを特徴とする請求項２の換気装置。
【発明の詳細な説明】
【技術分野】
【０００１】
本発明は、室内空気を屋外へ排出する換気装置において、室内の飛翔昆虫を捕集する換気装置に関するものである。
【背景技術】
【０００２】
従来、この種の飛翔昆虫を誘引し屋外へ捕獲する装置としては、吸込口付近に飛翔昆虫を誘引するための光源を備えた換気装置が知られている。すなわち、図５に示すように、吸込口１０１内部に誘引部１０２として光源を備え、誘引部に近付いた飛翔昆虫を、風路内のモーター１０３およびファン１０４を用いて発生させた気流で本体内に吸込み、排出するための換気装置であった（例えば特許文献１参照）。
【先行技術文献】
【特許文献】
【０００３】
【特許文献１】特開平１０−２２７５０３号公報
【発明の概要】
【発明が解決しようとする課題】
【０００４】
このような従来の装置に置いては、ヒトの目に有害な紫外線を発する光源が換気装置の室内側に取り付けられた構成となっていたので、飛翔昆虫の誘引には効果的ではあるが、使用者の健康を害する可能性があるという課題を有していた。
【０００５】
また、取り外し可能なカバーを設置し、外部から紫外線が直接目に入らないように遮蔽した送風装置も開発されているが、運転中にカバーを取り外してしまった場合に、ヒトの目にとって有害な波長の光を発する光源が露出するという課題を有していた。
【０００６】
また、このような光源の露出を避けるためには、カバーの取り外しを検出して消灯するためのセンサを設置する必要があった。
【０００７】
そこで本発明は、上記従来の課題を解決するものであり、運転中にカバーを取り外してしまった場合に、ヒトの目にとって有害な波長の光を発することのない換気装置を提供することを目的とする。
【課題を解決するための手段】
【０００８】
そして、この目的を達成するために、本発明に係る換気装置は、室内側に設けられた吸込口と、室外側に設けられた吐出口と、吸込口から吐出口を通貫する風路と、風路内に室内側から室外側へ向かう気流を発生させるファンおよびモーターとを備えた本体と、前記本体前面を覆うように設置された取り外し可能なルーバーと、紫外線を発する光源を備えた換気装置であって、前記光源がルーバー外縁部の内側に取り付けられており、前記光源は前記ルーバーの取り付け部を介して前記本体側から電力供給を受けることを特徴とした換気装置であり、これにより所期の目標を達成するものである。
【発明の効果】
【０００９】
本発明によれば、室内側に設けられた吸込口と、室外側に設けられた吐出口と、吸込口から吐出口を通貫する風路と、風路内に室内側から室外側へ向かう気流を発生させるファンおよびモーターとを備えた本体と、前記本体前面を覆うように設置された取り外し可能なルーバーと、紫外線を発する光源を備えた換気装置であって、前記光源がルーバー外縁部の内側に取り付けられており、前記光源は前記ルーバーの取り付け部を介して前記本体側から電力供給を受けることを特徴とした換気装置とすることにより、蚊を誘引するための光源を備えながら、運転中にカバーを取り外してしまった場合に、ヒトの目にとって有害な波長の光を発することを防ぐことができる。また上記の効果を得るために、カバーの取り外しを検出し、光源の消灯を行うためのセンサを必要としない。
【図面の簡単な説明】
【００１０】
【図１】本発明の実施の形態１の換気装置を示す側面断面図
【図２】本発明の実施の形態１の換気装置を示す斜視図
【図３】本発明の実施の形態１のパネルの裏側を示す斜視図
【図４】従来の飛翔昆虫排出換気装置を示す側面断面図
【発明を実施するための形態】
【００１１】
本発明に係る換気装置は、室内側に設けられた吸込口と、室外側に設けられた吐出口と、吸込口から吐出口を通貫する風路と、風路内に室内側から室外側へ向かう気流を発生させるファンおよびモーターとを備えた本体と、前記本体の前面を覆うように設置された取り外し可能なパネルと、紫外線含む光を発する光源とを備えた換気装置であって、前記光源がパネルの外縁部の内側に取り付けられており、前記光源は前記パネルの取り付け部を介して前記本体側から電力供給を受けることを特徴とする。
【００１２】
これにより、換気装置内に備え付けられた光源に蚊を誘引し、換気装置内に吸引し屋外へと排出することができる。また、運転中にパネルを取り外してしまった際に、パネルに備え付けられた光源への電力供給が断たれ、光源は消灯するために、ヒトの目にとって有害な波長の光を発することが無く、安全に使用することができる。
【００１３】
また、請求項２に係る換気装置は、前記光源から発する光は波長が２００ｎｍ〜４００ｎｍの紫外線を含む構成にしても良い。
【００１４】
これにより、イエカやユスリカといった飛翔昆虫は紫外領域の光に強く誘引される作用を利用し、室内の飛翔昆虫を効率よく換気装置まで誘引し、換気装置内に吸引して屋外へと排出できる。
【００１５】
また、請求項３に係る換気装置は、パネルの羽板が黒色である構成にしてもよい。
【００１６】
これにより、蚊をはじめとする飛翔昆虫が黒い物体に接近し吸血しようとする性質を利用して、羽板に止まろうと近寄って来た飛翔昆虫をルーバーの開口部まで誘導できるので、光源を利用して誘引した飛翔昆虫を確実に換気装置内に吸引して屋外へと排出できる。
換気装置付近を飛行する飛翔昆虫を積極的に換気装置吸込口に誘導し捕獲することが可能になる。
【００１７】
これにより、蚊をはじめとする飛翔昆虫を誘引する作用を持つ紫外線を放出することで、室内に広く誘引作用を及ぼすことができ、より多くの飛翔昆虫を換気装置近傍へと誘引し、捕獲・殺虫することができる。また、ルーバーの開口部が上向きになっていることにより、換気扇を目線よりも上の高さに設置することで、有害な紫外光がヒトの目に入らない構造となっている。
【００１８】
（実施の形態１）
図１、図２、図３は本実施の形態における換気装置の図である。図１は換気装置を示す側面断面図、図２は換気装置を示す斜視図、図３はパネルの裏側を示す斜視図である。
【００１９】
本実施の形態の換気装置１は、図１に示すように部屋の壁面を貫通して取り付けられている。
【００２０】
換気装置１は、本体２と、本体２に備えた吸込口３と、吐出口４と、吸込口３から吐出口４へ連通する風路５と、モーター６とモーター６の軸に取り付けられたファン７と、本体２の前面に備えたパネル８と、パネル８とに取り付けられた紫外線を発する光源９から構成されている。
【００２１】
吸込口３は部屋の室内側に、吐出口４は室外側に配置されている。
【００２２】
モーター６とモーター６の軸に取り付けられたファン７は、通常運転時に室内側から室外側へと向かう空気流を形成するものである。
【００２３】
パネル８は、換気装置１の前面において、吸込口３の前面を覆うようにして設置されている。
【００２４】
パネル８は外縁部１０と、パネル８の通風路を形成する羽板１１と、接続部１２と、外縁部１０の内側に設置された光源９とから構成されている。パネル８は接続部１２を介して、本体２前面に設置された接続受け部１３にはめ込まれて固定される。接続部１２と接続受け部１３はパネル８を本体２にはめ込んだときに互いに電気的に接続する接触片１４（図示せず）を備えている。
【００２５】
上記構成により、換気装置１が運転中であり、パネル８が本体２に固定されている場合、接触片１４を介して本体側から光源９まで電力供給を行うことができる。パネル８を取り外すことで接触片１４での接続が解かれ、本体２側から光源９への電力供給が断たれるため、光源９は消灯する。
【００２６】
光源９から発する光は紫外線を含む。特に２００〜４００ｎｍの紫外線を含むことが望ましい。紫外線はイエカやユスリカといった室内にも生息する飛翔昆虫に対して誘引効果を発揮するため、ルーバー内側から室内側へと漏れ出た光で飛翔昆虫をルーバーの吸込口付近まで誘引し、ファンで発生させた気流で吸引し、そのまま屋外へと排出することができる。
【００２７】
パネル８において羽板１１は黒色であることが望ましい。イエカのような吸血性の飛翔昆虫は黒色の物体に止まろうとする性質があり、紫外線で誘引して、おびき寄せた蚊を、さらに換気装置１に近いパネル８の開口部分まで誘導できるため、紫外線のみの場合と比較してより効率よく飛翔昆虫を吸引・排出することが可能になる。
【産業上の利用可能性】
【００２８】
室内空気を屋外へ排出するとともに、紫外線をヒトの目に触れないように利用し飛翔昆虫を吸引・排出できる換気装置として有用である。
【符号の説明】
【００２９】
１    換気装置
２    本体
３    吸込口
４    吐出口
５    風路
６    モーター
７    ファン
８    パネル
９    光源
１０    外縁部
１１    羽板
１２    接続部
１３    接続受け部
１４    接触片
【図１】
2020003157.tif 000003
【図２】
2020003157.tif 000004
【図３】
2020003157.tif 000005
【図４】
2020003157.tif 000006